【事件の表示】
　特願２００４−３３６５４２「化粧料並びにヘアケア用化粧料」拒絶査定不服審判事件〔平成１８年４月２７日出願公開、特開２００６−１１１６０７〕について、次のとおり審決する。
【結　論】
　本件審判の請求は、成り立たない。
【理　由】
１　手続の経緯・本願発明
　本願は、平成１６年１１月１９日（優先権主張　平成１５年１１月２１日、平成１６年９月１７日）の出願であって、その請求項１ないし３に係る発明は、平成２０年３月１０日付け手続補正書により補正された特許請求の範囲の請求項１ないし３に記載された事項により特定されるとおりのものと認められ、その請求項３に係る発明は、引用した請求項１の内容を加えると、次のとおりのものである。
　
「フラビンアデニンジヌクレオチドナトリウム二水塩，コハク酸、ユビキノン（ＣｏＱ若しくはビタミンＱ）及びアルミナを含む、シャンプー、トリートメント等の頭髪用化粧料。」（以下、「本願発明」という。）
　
２　引用刊行物とその記載
　原査定の拒絶の理由に引用され、本願優先日前に頒布された以下の刊行物１（原査定の引用文献４）、刊行物２（原査定の引用文献１）、刊行物３（原査定の引用文献１０）、刊行物４（原査定の引用文献１２）、刊行物５（原査定の引用文献１４）及び刊行物６（原査定の引用文献６）には、以下の事項が記載されている。下線は、当審で付加した。
　
（１）刊行物１：特開平４−１０８７２１号公報
（1a）「１．
トリカルボン酸サイクル関連物質と直鎖又は分枝状不飽和脂肪酸エステルとを併用してなることを特徴とする細胞賦活剤組成物
　
（1b）「本発明は、細胞賦活剤組成物に関し、特に、
毛髪に対して優れた生長促進作用を示し、養毛剤等として好適に用いられる細胞賦活剤組成物に関する
　
（1c）「ここで、本発明の
細胞賦活剤組成物の第１の必須成分であるトリカルボン酸サイクル関連物質としては
コハク酸
フラビンアデニンジヌクレオチド（ＦＡＤ
これらの１種を単独で又は２種以上を組合せて用いることができる
　
（1d）「本発明の細胞賦活剤組成物は、常法に従って、
養毛剤、スキンクリーム、ヘアクリーム、ヘアトニック、ヘアローション、シャンプー、リンス
　
（1e）「本発明の細胞賦活剤組成物の上述した必須成分以外の成分は、通常、これらの製造に用いられる慣用のものでよく、例えば、基剤として蒸留水、アルコール類、多価アルコール類、界面活性剤、油脂類などが配合され、更に必要に応じ、薬効成分として、ビタミン類、ホルモン類、血管拡張剤、アミノ酸類、抗炎症類、皮膚機能亢進剤、角質溶解剤などの
他の細胞賦活剤をも同時に配合し得る
　
（1f)表−４には、コハク酸を用いた試験No.４が、育毛効果について著効であることが示されている。（第３頁右下欄　表−４）
　
（1g）「[実施例１]　
育毛剤
　ペンタデカン酸グリセリド
（モノグリセリド：９９％、
　ジグリセリド：１％）　　　　　３．０（重量％）
　酢酸トコフェロール　　　　　　０．１
　
コハク酸
　リノール酸プロピル　　　　　　３．０
　ヒノキチオール　　　　　　　　０．０５
　モノラウリル酸ソルビタン　　　５．０
　イソプロピルメチルフェノール　０．１
　香料　　　　　　　　　　　　　０．４
　９９．５％エタノール　　　　　残部
　計　　　　　　　　　　　　　　１００．０」
（第４頁右上欄１０行〜左下欄１行）
　
（1h）「[実施例９]　
トリートメント
　Ｎ−ステアロイルグルタミン酸　　　　　０．５（重量％）
　イソステアリン酸　　　　　　　　　　　０．５
　塩化ステアリルトリメチルアンモニウム　１．０
　リシノール酸エチル　　　　　　　　　　１．０
　プロピレングリコール　　　　　　　　　５．０
　
フラビンアデニンジヌクレオチド
　精製水　　　　　　　　　　　　　　　　残部
　計　　　　　　　　　　　　　　　　　　１００．０」
（第５頁右上欄１２〜２２行）
　
（２）刊行物２：特開昭６３−１８３５１８号公報
（2a）「（１）下記〔Ｉ〕式で示される基本骨格を有する化合物、
フラビンアデニンジヌクレオチド及びその塩
毛髪用組成物
　
（2b）「〔産業上の利用分野〕
　本発明は、頭皮に外用することにより、毛根のメラノサイトを活性化し、メラニン生成を促進して白髪を防止、改善することができる毛髪用組成物、例えばヘアトニックなどに関するものである。」（第２頁右上欄２〜７行）
　
（2c）「ＦＡＤ及びその塩
　
ＦＡＤは、酸化還元酵素の補酵素
　現在、
ＦＡＤは工業的に醗酵法または合成法で製造されており、容易に入手することが可能である。尚、ＦＡＤの塩も本発明では使用可能であり、具体的にはＦＡＤナトリウム塩（ＦＡＤ・２Ｎａ）、ＦＡＤカリウム塩（ＦＡＤ・２Ｋ）など
　
（2d）「〔発明の効果〕
　本発明によれば、
頭皮に外用することにより、優れた白髪防止、改善効果を発揮
養毛・育毛効果も上記効力に加えて、発揮される
　従って本発明の毛髪用組成物は、毛髪に適用するための種々の形態、例えばヘアトニック、クリーム、ローション、乳液、軟膏、ヘアトリートメント、ヘアコンディショナー等の毛髪化粧料等、外用できる剤型のものとして種々の形態で幅広く使用できる。」（第１０頁左下欄２〜１３行）
　
（３）刊行物３：特開昭５８−１８０４１０号公報　
（3a）「１．化学式（式省略）
で表わされる補酵素Ｑ１０（化学名ユビキノン）を配合することを特徴とする化粧料。」（特許請求の範囲第１項）
　
（3b）「本発明者らは、人体及び高等動物にのみ存在し、
ミトコンドリア中にて重要な生理活性作用を担う補酵素Ｑ
１０
に着目し、化粧料への配合について鋭意研究の結果
皮膚賦活作用の優れた効果を見い出した
　補酵素Ｑ１０を体内に投与した場合の生理活性については、例えば細胞活動の為のエネルギー供給面、即ち呼吸の維持回復、ＡＴＰ産生促進の作用及び過酸化脂質の低下作用面、即ち細胞膜の損傷、異常の抑制作用等の働きを有することが知られており、又、臨床面については、虚血性心不全に極めて有効であり、補酵素Ｑの中では本品補酵素Ｑ１０のみが治療薬として認められ市販されているものである。」（第１頁右下欄２行〜１５行）
　
（3c）「即ち、
経皮吸収された補酵素Ｑ
１０
は
皮膚細胞の新陳代謝が活発化し、恒常性の保全作用が飛躍的に向上すると予測される
　
（４）刊行物４：特開平９−２４９５３９号公報　
（4a）「【請求項１】（Ａ）酸性染料または天然色素 ０．０１〜２重量％（Ｂ）有機溶剤 ０．５〜５０重量％（Ｃ）グリコール酸アンモニウム ０．１〜２０重量％
（Ｄ）育毛成分 
　
（4b）「【００１７】本発明の頭髪化粧料の
（Ｄ）成分である育毛成分としては
ユビキノン
ＴＣＡ回路関連物質
コハク酸
ＦＡＤ
　
（５）刊行物５：特開平５−５８８５０号公報
（5a）「【０００１】
【産業上の利用分野】本発明は、
育毛剤組成物
　
（5b）「【００３３】本発明の組成物には、
育毛成分の効果を増強させるために、必要に応じ、細胞賦活活性を有する化合物を好ましく配合することができる
ユビキノン
ＴＣＡ回路関連物質
コハク酸
ＦＡＤ
ホップ抽出液
　
（６）刊行物６：特開２００３−１３７７５０号公報
（6a）「【請求項１】
アルミナ粉末を含有することを特徴とするシャンプー
　
（6b）「【０００７】
アルミナ粉末
毛細血管の拡張、血液循環の活性化、新陳代謝の増加等の作用が行われる
【０００８】従って、
アルミナ粉末を混入したシャンプー
頭皮・毛髪或いは全身皮膚に対する上記コンディショニング効果が期待できる
　
（6c）「【００１０】
【実施例】本発明に係るシャンプーの一実施例を説明する。まず、通常の製法に従ってシャンプー基材を製造する。
シャンプー基材には次のような成分が含まれる
ホップエキス
　
３　対比・判断
　刊行物１の上記記載事項（特に(1a)(1d)）から、刊行物１には、
　「トリカルボン酸サイクル関連物質と直鎖又は分枝状不飽和脂肪酸エステルとを併用してなる細胞賦活剤組成物を含む、養毛剤、ヘアクリーム、ヘアトニック、ヘアローション、シャンプー、リンス等の毛髪用組成物」の発明（以下、「刊行物１発明」という。）が記載されていると認められる。
　
　そこで、本願発明と刊行物１発明とを比較する。
（ア）刊行物１発明の「トリカルボン酸サイクル関連物質」は、刊行物１（上記(1c)）に、トリカルボン酸サイクル関連物質として、コハク酸、フラビンアデニンジヌクレオチド（ＦＡＤ）が記載されているから、本願発明の「フラビンアデニンジヌクレオチドナトリウム二水塩，コハク酸」とは、トリカルボン酸サイクル関連物質である点で共通する。
（イ）刊行物１発明の「養毛剤、ヘアクリーム、ヘアトニック、ヘアローション、シャンプー、リンス等の毛髪用組成物」は、本願発明の「シャンプー、トリートメント等の頭髪用化粧料」に相当する。
（ウ）本願発明は、フラビンアデニンジヌクレオチドナトリウム二水塩，コハク酸、ユビキノン及びアルミナ以外の成分を含むことを排除していない。
　
　そうすると、両者の間には、以下の一致点及び相違点がある。
（一致点）
　トリカルボン酸サイクル関連物質を含むシャンプー、トリートメント等の頭髪用化粧料である点。
　
（相違点１）
　トリカルボン酸サイクル関連物質が、本願発明では、フラビンアデニンジヌクレオチドナトリウム二水塩及びコハク酸であり、さらにユビキノン（ＣｏＱ若しくはビタミンＱ）を含むのに対して、刊行物１発明では、トリカルボン酸サイクル関連物質を具体的に特定せず、ユビキノン（ＣｏＱ若しくはビタミンＱ）を含まない点。
　
（相違点２）
　本願発明は、アルミナを含むのに対して、刊行物１発明は、これを含まない点。
　
　そこで、上記相違点について検討する。
（相違点１について）
　刊行物１（上記(1c)）に、トリカルボン酸サイクル関連物質として例示されたもののの中に「コハク酸」及び「フラビンアデニンジヌクレオチド（ＦＡＤ）」が含まれており、「これらの１種を単独で又は２種以上を組合せて用いることができる。」ことが記載されている。そして、実験例として、コハク酸の育毛効果が著効であることが示され（上記(1f)）、実施例１（上記(1g)）には、「コハク酸」を単独で用いた育毛剤が、実施例９（上記(1h)）には、「フラビンアデニンジヌクレオチド」を単独で用いたトリートメントが記載されている。さらに、刊行物２には、フラビンアデニンジヌクレオチド及びそのナトリウム塩（上記(2c)）が、頭皮に外用すると毛根を活性化し白髪を防止することとともに、養毛・育毛効果も加えて発揮されることが記載されている（上記(2b)(2d)）。そして、フラビンアデニンジヌクレオチドのナトリウム塩が水和物としても同様に用いられることは技術常識である（例えば、特表２００１−５１５８４６号公報【００３３】参照。）。
　そうすると、刊行物１発明において、刊行物１に、２種以上を組合せて用いることができるとして例示されたトリカルボン酸サイクル関連物質の中から、育毛効果が顕著なコハク酸、及び頭皮に外用すると毛根を活性化し育毛効果を有することが知られているフラビンアデニンジヌクレオチド（ＦＡＤ）をフラビンアデニンジヌクレオチドナトリウム二水塩として併用することに格別の困難性があるとはいえいない。
　さらに、刊行物３には、ユビキノン（補酵素Ｑ１０）は、ミトコンドリア中で重要な生理活性作用を担う補酵素であり（上記(3b)）化粧料へ配合されること、経皮吸収された補酵素Ｑ１０が皮膚細胞のミトコンドリア中で電子伝達酵素としてＡＴＰ産生に不可欠の機能を細胞に賦与し、結果的に、皮膚細胞の新陳代謝が活発化し、恒常性の保全作用が飛躍的に向上すること（上記(3c)）が記載されているところ、刊行物４（上記(4a)(4b)）には、頭髪化粧料中に含有させる育毛成分として、ユビキノン、ＴＣＡ回路関連物質（コハク酸、ＦＡＤ等）が例示され、刊行物５（上記(5a)(5b)）には、育毛剤組成物中に効果を増強させるために細胞賦活活性を有する化合物を配合することが好ましいことが記載され、この化合物として、ユビキノン、ＴＣＡ回路関連物質（コハク酸、ＦＡＤ等）が例示されている。
　そして、刊行物１（上記(1e)）には、細胞賦活剤組成物に「他の細胞賦活剤をも同時に配合し得る」と記載されていること、及び類似の効果を有する活性成分を、複数種類併用して効果の増強を狙うことは、化粧料の分野では常套手段であることを勘案すると、刊行物１発明で細胞賦活剤組成物の活性成分として、トリカルボン酸サイクル関連物質に加え、皮膚細胞の新陳代謝が活発化し、恒常性の保全作用が飛躍的に向上することが知られ、刊行物４、５に、細胞賦活活性を有する育毛剤の活性成分として、コハク酸やＦＡＤ等のＴＣＡ回路関連物質（トリカルボン酸サイクル関連物質と同義）とともに例示された、ユビキノンを併用することは、当業者が容易になし得たことといえる。
　
（相違点２）
　刊行物６には、アルミナ粉末を含有するシャンプーが記載され（上記(6a)）、アルミナ粉末が、毛細血管の拡張、血液循環の活性化、新陳代謝の増加等の作用を有し、頭皮・毛髪或いは全身皮膚に対する上記コンディショニング効果が期待できることが記載されている（上記記載(6b)）。さらに、刊行物６（(6c)）には、ホップエキス等の成分を配合することが記載されている。そして、ホップエキスは、刊行物５（上記(5b)）で、細胞賦活活性を有する化合物として例示された、ホップ抽出液に相当することから、刊行物６には、アルミナ粉末に細胞賦活活性を有する成分を併用することが示唆されていることも勘案すると、刊行物１発明の細胞賦活剤組成物に、頭皮・毛髪に対するコンディショニング効果が期待できるアルミナを含有させることは、当業者が容易になし得たことといえる。
　
（本願発明の効果について）
　平成２０年１０月１７日付け手続補正書により補正された明細書（以下「本願明細書」という。）の段落【００１３】に記載された、皮膚や頭皮を構成する細胞の代謝を活性化でき、皮膚、頭皮、頭髪のコンディションを改善できるという効果は、刊行物１ないし６の記載事項から予測し得るものである。
　そして、効果の顕著性について、請求人が請求の理由において、本願明細書の段落【００４５】〜【００５６】、【図７】及び【図８】の実験から、４成分を併用した場合、１ないし３成分の場合よりもミトコンドリア内での酸素消費量が顕著に増大し、より多くの酸化還元を行い自由エネルギーの変化が顕著に大きいことから、本願発明の画期的な効果を実証している旨主張するが、刊行物１（上記(1c)）に、コハク酸やＦＡＤがトリカルボン酸サイクル関連物質、つまりミトコンドリアにおける呼吸関連物質であることが記載され、刊行物２（上記(2c)）に、ＦＡＤが酸化還元酵素の補酵素であることが記載され、刊行物３（上記(3b)(3c)）に、ユビキノンが、ミトコンドリア内で呼吸の維持回復、ＡＴＰ産生促進の働きを有することが記載され、刊行物４（上記(4b)）及び刊行物５（上記(5b)）に、コハク酸、ＦＡＤ及びユビキノンが、細胞賦活活性成分であることが記載され、刊行物６（上記(6b)）に、アルミナ粉末が、血液循環活性化、新陳代謝増加の作用を有することが記載されていることからみて、予想外の格別顕著なものということはできない。
　
４　むすび
　以上のとおり、本願請求項３に係る発明は、刊行物１ないし６に記載された発明及び周知技術に基づいて当業者が容易に発明をすることができたものであるから、特許法第２９条第２項の規定により特許を受けることができないものである、
　したがって、その他の請求項に係る発明について検討するまでもなく、本願は拒絶すべきものである。
　よって、結論のとおり審決する。